(57)【要約】【課題】封緘状態及び開封状態で、内フラップ及び外フラップを容易且つ確実に固定できるようにする。【解決手段】各端壁３に、箱外側に折り曲げられた開放内フラップ５の先端部５ｓが差し込まれる端壁固定孔１０が形成され、各側壁２に、箱外側に折り曲げられた開放外フラップ４の先端部４ｓが差し込まれる側壁固定孔９が形成され、開放内フラップ５に、封緘状態で外側に重なる開放外フラップ４の先端部４ｓが差し込まれるスリット１１が形成された段ボール箱とする。【選択図】図７
2008254738.tif 000002
【特許請求の範囲】
【請求項１】
少なくとも３つの側面部からなる多角筒状の非開閉面と、
この非開閉面の上部開口及び下部開口をそれぞれ開閉する一対の開閉面と、を有し、
これら開閉面の少なくとも一方は、各側面部の上縁及び下縁のうち当該開閉面に隣接する縁を基端として延出されたフラップからなり、これらフラップを重ね合わせた状態で封緘されるように構成されるとともに、前記フラップが、それぞれ箱外側に折り曲げられた状態で非開閉面に固定できる開放フラップとして構成されている、ダンボール箱において、
前記各側面部に、箱外側に折り曲げられた前記開放フラップの先端部が差し込まれる側面部固定孔が形成されている、
ことを特徴とするダンボール箱。
【請求項２】
前記各開放フラップの少なくとも一つに、前記封緘状態で外側に重なる開放フラップの先端部が差し込まれるフラップ挿通部が形成されている、請求項１のダンボール箱。
【請求項３】
左右一対の端壁と、前後一対の側壁とからなる四角筒状の非開閉面と、
この非開閉面の上部開口及び下部開口をそれぞれ開閉する一対の開閉面と、を有し、
これら開閉面の少なくとも一方は、各前記端壁の上縁及び下縁のうち当該開閉面に隣接する縁を基端として延出された内フラップ、及び各前記側壁の上縁及び下縁のうち当該開閉面に隣接する縁を基端として延出された外フラップからなり、内フラップの外側に外フラップが重ねられた状態で封緘されるように構成されるとともに、これら一対の内フラップ及び一対の外フラップが、それぞれ箱外側に折り曲げられた状態で非開閉面に固定できる一対の開放内フラップ及び一対の開放外フラップとして構成されている、ダンボール箱において、
各前記端壁に、箱外側に折り曲げられた前記開放内フラップの先端部が差し込まれる端壁固定孔が形成されており、
各前記側壁に、箱外側に折り曲げられた前記開放外フラップの先端部が差し込まれる側壁固定孔が形成されており、
前記開放内フラップに、前記封緘状態で外側に重なる開放外フラップの先端部が差し込まれるフラップ挿通部が形成されている、
ことを特徴とするダンボール箱。
【請求項４】
前記フラップ挿通部として、前記封緘状態で前記一対の開放内フラップの両者に亘るように左右方向に沿って延在するスリットが、前記一対の開放内フラップにおける前側部分及び後側部分にそれぞれ形成され、各スリットにおける前記一対の開放内フラップの両者に亘る範囲に各前記開放外フラップの先端部が差し込まれるように構成されるとともに、
前記端壁固定孔は、各前記開放内フラップにおける前側部分のスリットよりも前側の端部及び後側部分のスリットよりも後側の端部のみがそれぞれ差し込まれるように、各前記端壁の前後方向両側にそれぞれ形成されている、請求項３記載のダンボール箱。
【請求項５】
各前記開放外フラップにおける左側部分及び右側部分に、先端から基端側に向かって延在する切欠部がそれぞれ形成されており、
前記側壁固定孔は、各前記開放外フラップにおける前記左側部分の切欠部よりも左側の端部及び前記右側部分の切欠部よりも右側の端部のみがそれぞれ差し込まれるように、各前記側壁の左右方向両側にそれぞれ形成されており、
前記封緘状態では、各前記開放外フラップにおける前記左側部分の切欠部と前記右側部分の切欠部との間の中間部のみが、各前記開放内フラップのスリットに差し込まれるように構成されている、請求項４記載のダンボール箱。
【請求項６】
各前記開放内フラップにおける左右方向中間に、前記封緘状態で箱外側となる面から見て谷折りとなる折り曲げ罫線が前後方向に沿って形成されるとともに、各前記開放外フラップにおける前後方向中間に、前記封緘状態で箱外側となる面から見て谷折りとなる折り曲げ罫線が左右方向に沿って形成されている、請求項３〜５のいずれか１項に記載のダンボール箱。
【発明の詳細な説明】
【技術分野】
【０００１】
本発明は、ダンボール箱に関するものであり、より詳細には、梱包に際して開閉面のフラップを箱外側に折り曲げた状態で非開閉面に固定することのできるダンボール箱に関するものである。
【背景技術】
【０００２】
一般的な段ボール箱は、左右一対の端壁と、前後一対の側壁とからなる四角筒状の非開閉面と、各前記端壁の上縁を基端として延出された内フラップ、及び各前記側壁の上縁を基端として延出された外フラップからなり、内フラップの外側に外フラップが重ねられた状態で封緘されるように構成された上開閉面と、各前記端壁の下縁を基端として延出された内フラップ、および各前記側壁の下縁を基端として延出された外フラップからなり、内フラップの外側に外フラップが重ねられた状態で封緘されるように構成された下開閉面とを有するものである。
このような段ボール箱では、内フラップ及び外フラップをそれぞれ外側に折り返した状態で、梱包物の出し入れ作業を行うことになるが、これら内フラップ及び外フラップが固定されていないと作業の邪魔になるという問題点がある。
このため、例えば特許文献１〜３に記載されているような開放ロック付きのダンボール箱が提案されている。
【特許文献１】実開平２−８７７１８号公報
【特許文献２】実開平２−９０２２８号公報
【特許文献３】特開２００３−２８５８２８号公報
【発明の開示】
【発明が解決しようとする課題】
【０００３】
しかしながら、従来の開放ロック付きダンボール箱は、内フラップ及び外フラップが完全に側板に密着しない、内フラップ及び外フラップの反発によってロックがはずれてしまう、箱本体の破れによりロック機能が低下し易い、等の問題点を抱えていた。
また、近年汎用されるようになった、接着剤等の固定用副資材を使用せずにフラップの差し込みにより開閉面の封緘を行うダンボール箱（ノンステープルあるいはステープルレスとも呼ばれる）において、従来の開放ロックを用いると、製造コストが嵩む、強度が低下する等の問題が発生し易くなる。
そこで、本発明の主たる課題は、これらの問題点を解決することにある。
【課題を解決するための手段】
【０００４】
上記課題を解決した本発明は次記のとおりである。
なお、本発明における、前・後・上・下・左・右とは、封緘状態において一方の外フラップが延出される一方の側壁を前（正面）とした方向を意味し、発明の説明の便宜上定めたものであって、製品として使用される際の方向を意味するものではない。
【０００５】
＜請求項１記載の発明＞
少なくとも３つの側面部からなる多角筒状の非開閉面と、
各前記側面部の上縁を基端として延出されたフラップからなり、フラップを重ね合わせた状態で封緘されるよう構成された上開閉面と、
各前記側面部の下縁を基端として延出されたフラップからなり、フラップを重ね合わせた状態で封緘されるよう構成された下開閉面と、を有し、
これら上開閉面および下開閉面の少なくとも一方におけるフラップが、それぞれ箱外側に折り曲げられた状態で非開閉面に固定できる開放フラップとして構成されている、ダンボール箱において、
前記各側面部に、箱外側に折り曲げられた前記開放フラップの先端部が差し込まれる側面部固定孔が形成されている、
ことを特徴とするダンボール箱。
【０００６】
（作用効果）
本発明によれば、各開放フラップの先端部を側面部にそれぞれ差し込むことによって各開放フラップを固定するため、開放フラップを側面部に密着させた状態で確実に固定することができ、内容物の出し入れが等の作業が円滑に行え、反発等による開放フラップのばたつきを効果的に防止することができる。しかもその作業は極めて容易である。
【０００７】
＜請求項２記載の発明＞
前記各開放フラップの少なくとも一つに、前記封緘状態で外側に重なる開放フラップの先端部が差し込まれるフラップ挿通部が形成されている、請求項１のダンボール箱。
【０００８】
（作用効果）
本項記載のように構成されていると、各開放フラップの先端部を側面部にそれぞれ差し込むことによって各開放フラップを固定する機能と、開放フラップに設けたフラップ挿通部に、外側に重ねたフラップの先端部を差し込むことにより封緘する機能とを有することになり、より少ない加工で開放フラップの開放固定及び封緘時固定を実現できるようになる。そのため、製造コスト増や強度低下等を抑制できるという利点を有する。
【０００９】
＜請求項３記載の発明＞
左右一対の端壁と、前後一対の側壁とからなる四角筒状の非開閉面と、
この非開閉面の上部開口及び下部開口をそれぞれ開閉する一対の開閉面と、を有し、
これら開閉面の少なくとも一方は、各前記端壁の上縁及び下縁のうち当該開閉面に隣接する縁を基端として延出された内フラップ、及び各前記側壁の上縁及び下縁のうち当該開閉面に隣接する縁を基端として延出された外フラップからなり、内フラップの外側に外フラップが重ねられた状態で封緘されるように構成されるとともに、これら一対の内フラップ及び一対の外フラップが、それぞれ箱外側に折り曲げられた状態で非開閉面に固定できる一対の開放内フラップ及び一対の開放外フラップとして構成されている、ダンボール箱において、
各前記端壁に、箱外側に折り曲げられた前記開放内フラップの先端部が差し込まれる端壁固定孔が形成されており、
各前記側壁に、箱外側に折り曲げられた前記開放外フラップの先端部が差し込まれる側壁固定孔が形成されており、
前記開放内フラップに、前記封緘状態で外側に重なる開放外フラップの先端部が差し込まれるフラップ挿通部が形成されている、
ことを特徴とするダンボール箱。
【００１０】
（作用効果）
本項記載の発明は、一般的な六面体状の段ボール箱を対象としたものである。この場合、上記の利点に加えて、構造及び外観が簡素となる等の利点がもたらされる。
【００１１】
＜請求項４記載の発明＞
前記フラップ挿通部として、前記封緘状態で前記一対の開放内フラップの両者に亘るように左右方向に沿って延在するスリットが、前記一対の開放内フラップにおける前側部分及び後側部分にそれぞれ形成され、各スリットにおける前記一対の開放内フラップの両者に亘る範囲に各前記開放外フラップの先端部が差し込まれるように構成されるとともに、
前記端壁固定孔は、各前記開放内フラップにおける前側部分のスリットよりも前側の端部及び後側部分のスリットよりも後側の端部のみがそれぞれ差し込まれるように、各前記端壁の前後方向両側にそれぞれ形成されている、請求項３記載のダンボール箱。
【００１２】
（作用効果）
本項記載のように構成されていると、開放内フラップのスリットが端壁固定孔への挿入部分を形成する機能と、開放外フラップの先端部を受け入れて固定する機能とを有することになり、より少ない加工で開放内フラップの開放固定及び外フラップの封緘時固定を実現できるようになる。そのため、製造コスト増や強度低下を顕著に抑制することができる。
また、各開放内フラップにおける前側部分のスリットよりも前側の端部及び後側部分のスリットよりも後側の端部のみを、各端壁の前後方向両側の端壁固定孔に差し込んだ状態では、これら差込部分と、両スリット間の部分（端壁固定孔に差し込まれずに端壁外面に沿って延在する部分）との間に端壁が挟まれるため、より安定した開放内フラップの固定が可能となる。
【００１３】
＜請求項５記載の発明＞
各前記開放外フラップにおける左側部分及び右側部分に、先端から基端側に向かって延在する切欠部がそれぞれ形成されており、
前記側壁固定孔は、各前記開放外フラップにおける前記左側部分の切欠部よりも左側の端部及び前記右側部分の切欠部よりも右側の端部のみがそれぞれ差し込まれるように、各前記側壁の左右方向両側にそれぞれ形成されており、
前記封緘状態では、各前記開放外フラップにおける前記左側部分の切欠部と前記右側部分の切欠部との間の中間部のみが、各前記開放内フラップのスリットに差し込まれるように構成されている、請求項４記載のダンボール箱。
【００１４】
（作用効果）
本項記載のように構成されていると、開放外フラップの切欠部が側壁固定孔への挿入部分を形成する機能と、フラップ挿通部への挿入部分を形成する機能とを有することになり、より少ない加工で開放外フラップの開放固定及び封緘時固定を実現できるようになる。そのため、製造コスト増や強度低下を顕著に抑制することができる。
また、各開放外フラップにおける左側部分の切欠部よりも左側の端部及び右側部分の切欠部よりも右側の端部のみを、各側壁の左右方向両側の側壁固定孔に差し込んだ開放固定状態では、これら差込部分と、両切欠部間の中間部（側壁固定孔に差し込まれずに側壁外面に沿って延在する部分）との間に側壁が挟まれるため、より安定した固定が可能となる。
さらに、各開放外フラップの中間部のみを、各開放内フラップのスリットに差し込んだ封緘状態では、開放外フラップの中間部と両端部との間に開放内フラップが挟まれるため、より安定した固定が可能となる。
【００１５】
＜請求項６記載の発明＞
各前記開放内フラップにおける左右方向中間に、前記封緘状態で箱外側となる面から見て谷折りとなる折り曲げ罫線が前後方向に沿って形成されるとともに、各前記開放外フラップにおける前後方向中間に、前記封緘状態で箱外側となる面から見て谷折りとなる折り曲げ罫線が左右方向に沿って形成されている、請求項３〜５のいずれか１項に記載のダンボール箱。
【００１６】
（作用効果）
本項記載のように罫線を設けると、開放ロックする際に、開放内フラップ及び開放外フラップを各折り曲げ罫線で折り曲げることにより、端壁固定孔及び側壁固定孔への差し込みが極めて容易となる。
【発明の効果】
【００１７】
以上のとおり本発明によれば、封緘状態及び開封状態で、内フラップ及び外フラップを容易且つ確実に固定できるようになる、等の利点がもたらされる。
【発明を実施するための最良の形態】
【００１８】
以下、本発明の実施形態について添付図面を参照しつつ説明する。
図１〜図５は、本発明に係るダンボール箱１の実施形態を示している。このダンボール箱１は封緘状態で直方体状をなすものであり、左右一対の端壁３と、前後一対の側壁２とからなる四角筒状の非開閉面と、各端壁３の上縁を基端として延出された内フラップ５、および各側壁２の上縁を基端として延出された外フラップ４からなり、両内フラップ５の外側に両外フラップ４が重ねられた状態で封緘されるように構成された上開閉面Ｕと、各端壁３の下縁を基端として延出された外フラップ７、および各側壁２の下縁を基端として延出された内フラップ６からなり、両外フラップ７の外側に両内フラップ６が重ねられた状態で封緘されるように構成された下開閉面Ｂと、を有している。
【００１９】
符号８は、側壁２の側部と端壁３の側部とを連結するための糊代片を示している。この糊代片８により一方の側壁２とこれに隣接する端壁３とを連結することにより、四角筒状の非開閉面が形成される。また、図中の点線および一点鎖線は折り曲げのための罫線を示している。
【００２０】
両側壁２には、その左右方向両端且つ上下方向中央より若干上側に、左右方向に延在する矩形状の側壁固定孔９がそれぞれ打ち抜かれている。同様に、両端壁３には、その前後方向両端且つ上下方向中央より若干上側に、前後方向に延在する矩形状の端壁固定孔１０がそれぞれ打ち抜かれている。側壁固定孔９及び端壁固定孔１０を形成するにあたり、素材の上端縁を残してコ字状に打ち抜くことにより、上端縁を基端として回動する蓋フラップ１２が形成されている。また、上端縁には折り曲げ罫線が形成されている。
【００２１】
側壁固定孔９の上下方向幅Ｌ７は、作業の容易性の観点から少なくとも外フラップ４の厚さより広くするのが好ましい。また、端壁固定孔１０の上下方向幅Ｌ１６は、作業の容易性の観点から少なくとも内フラップ５の厚さより広くするのが好ましい。
【００２２】
各開閉面Ｕ，Ｂの一対の外フラップ４，６は、内フラップ５，７と同じ延出長さ（左右方向の長さ）Ｌ１だけ側壁２から延出している。図示形態の場合、上下各開閉面Ｕ，Ｂにおける一対の外フラップ４，６は、封緘状態においても互いの先端縁の全体が前後方向に離間する。各開閉面Ｕ，Ｂの一対の内フラップ５，７は、その端壁３からの延出長さ（左右方向長さ）Ｌ１は開閉面の左右方向長さＬ２（又は側壁２の左右方向長さ）の半分に実質的に等しく、封緘状態で互いの先端縁の全体が突き合わさるように構成されている。
【００２３】
以上の構成を基本として、上開閉面Ｕにおいて、一対の内フラップ５及び一対の外フラップ４が、それぞれ箱外側に折り曲げられた状態で非開閉面に固定できる一対の開放内フラップ５及び一対の開放外フラップ４として構成されている。
【００２４】
そして、開放内フラップ５に、封緘状態で外側に重なる開放外フラップ４の先端部４ａが差し込まれるフラップ挿通部が形成されている。より詳細には、一対の開放内フラップ５の前後両側における前後両端から所定距離離間した位置に、先端縁から左右方向中間部まで延在する細長凹状の切欠部５ｃがそれぞれ形成されている。両内フラップ５の挿通部５ｃの位置は前後方向中央線に関して対称を成しており、封緘状態では両内フラップ５にわたるように左右方向に沿って延在するスリット１１が、上開閉面における前側部分及び後側部分にそれぞれ形成されるようになる。このスリット１１がフラップ挿通部となる。
【００２５】
図３及び図４に示すように、スリット１１のスリット幅１１ｗは、作業の容易性の観点から少なくとも外フラップ４の厚さより広く、封緘時フラップ固定部４ａの前後方向長さＬ３より狭くするのが好ましく、スリット長さ（左右方向）１１ｙは、スリット１１に挿入される開放外フラップ４の先端部４ａの左右方向長さＬ４と同じかそれよりも長くするのが好ましい。
【００２６】
また、各開放内フラップ５における前側部分の切欠部５ｃよりも前側の端部５ｓ及び後側部分の切欠部５ｃよりも後側の端部５ｓは、端壁固定孔１０に差し込まれる差込部として構成されている。この開封内フラップ５の前後端部５ｓ，５ｓは、端壁固定孔１０の前後方向長さＬ１４と実質的に同じかそれよりも短い前後方向長さＬ１５、及び端壁固定孔１０の上下方向幅Ｌ１６よりも長い突出長さＬ１７をそれぞれ有している。また、開放内フラップ５の差込部５ｓ，５ｓは、内フラップ５の前後方向両端よりＬ１８離間して設けられており、これは端壁３前後方向両端から端壁固定孔１０までの距離Ｌ１９と略等しい。また、開放内フラップ５の基端と切欠部５ｃの基端との離間距離Ｌ２０は、端壁３の上端縁から端壁固定孔１０の上端縁までの距離Ｌ２１以上、且つ、端壁３の上端縁から端壁固定孔１０の下端縁までの距離Ｌ２２以下とされている。
【００２７】
一方、各開放外フラップ４における左側部分及び右側部分に、先端から基端側に向かって延在する切欠部４ｃがそれぞれ形成され、左側部分の切欠部４ｃよりも左側の端部４ｓ及び右側部分の切欠部４ｃよりも右側の端部４ｓが、側壁固定孔９に差し込まれる差込部として、また、左側部分の切欠部４ｃと右側部分の切欠部４ｃとの間の中間部４ａが、スリット１１に差し込まれる差込部（先端部）として構成されている。
【００２８】
図２に示すように、開放外フラップ４の左右両側の差込部４ｓ，４ｓは、側壁固定孔９の左右方向幅Ｌ５と実質的に同じかそれよりも短い左右方向幅Ｌ６、及び側壁固定孔９の上下方向幅Ｌ７よりも長い突出長さＬ８をそれぞれ有している。また、開放外フラップ４の左右両側の差込部４ｓ，４ｓは、開放外フラップ４左右方向両端より所定距離Ｌ９だけ離間して設けられており、これは側壁２左右方向両端から側壁固定孔９までの距離Ｌ１０と略等しい。また、開放外フラップ４の基端と切欠部４の基端との離間距離Ｌ１１は、側壁２の上端縁から側壁固定孔９の上端縁までの距離Ｌ１２以上、且つ、側壁２の上端縁から側壁固定孔９の下端縁までの距離Ｌ１３以下とされている。
【００２９】
他方、各開放内フラップ５における延出方向中央部近傍に、封緘状態で箱外側となる面から見て谷折りとなる折り曲げ罫線５ｘが基端と平行に形成されるとともに、各開放外フラップ４における延出方向中央部近傍に、封緘状態で箱外側となる面から見て谷折りとなる折り曲げ罫線４ｘが基端と平行に形成されている。また、図示例では、各開放内フラップ５及び各開放外フラップ４は、折り曲げ罫線５ｘ，４ｘの位置を境に、先端側部分の幅が基端側部分の幅よりも階段状に狭くなっており、折り曲げ力が罫線に集中することにより、折り曲げの開始が容易なように構成されている。
【００３０】
上述のように構成されたダンボール箱１では、上開閉面Ｕの封緘に際して、図４及び５に示すように、両開放内フラップ５を内側に折り畳み、次いでその上に両外フラップ４を折り畳む点では従来と同様であるが、外フラップの固定に際して、各開放外フラップにおける中間部４ａのみを、各開放内フラップ５のスリット１１に差し込むようにする。これにより、開放外フラップ４の中間部４ａと、両端部４ｓ，４ｓとの間に開放内フラップ５が挟まれるため、より安定した固定が可能となる。
【００３１】
また、上開閉面Ｕの開放固定に際しては、図６〜８に順に示すように、両開放外フラップ４及び両開放内フラップ５を箱外側に折り曲げ、且つそれぞれ折り曲げ罫線４ｘ，５ｘで折り曲げつつ、開放外フラップ４においてはその両端部４ｓ，４ｓのみを側壁固定孔９，９へ差し込み、開放内フラップ５においてはその両端部５ｓ，５ｓのみを端壁固定孔１０，１０へ差し込むようにする。この差し込みの際、図７に示すように、各フラップ５，４の折り曲げ罫線５ｘ，４ｘによる折り曲げが平坦に戻される。これにより、両開放外フラップ４及び両開放内フラップ５を箱外側に折り返して箱外面に密着させ、箱外面に固定することができる。そして、この開放固定状態では、各開放外フラップ４における両差込部分４ｓ，４ｓと、中間部４ａとの間に側壁２が挟まれ、各開放内フラップ５における両差込部分５ｓ，５ｓと、中間部５ａとの間に端壁３が挟まれるため、より安定した固定が可能となる。
【００３２】
一方、下開閉面Ｂの内フラップ６および外フラップ７においては、上開閉面のようなスリット１１等は形成されておらず、ステープルや粘着テープ、接着剤等の固定用副資材を用いて封緘される。
【００３３】
＜他の実施形態＞
上記実施形態では、直方体状のダンボール箱の例を示したが、本発明はこれに限定されるものではなく、立方体状であっても、またその他の立体形状であっても良い。要は、開閉面の開放状態において、開閉面のフラップの先端部が、非開閉面に設けられた固定孔に差し込まれることにより、フラップが非開閉面に固定され、且つ、開閉面の封緘状態において、開閉面のフラップの先端部が、内側のフラップに設けられた挿通部に差し込まれることにより、フラップ同士が固定されればよい。また、上記実施形態では、上開閉面のみ開放固定機能を備え付けているが、下開閉面にも同様の開放固定機能を備え付けることができる。
【産業上の利用可能性】
【００３４】
本発明は、ダンボール箱に適用できるものである。
【図面の簡単な説明】
【００３５】
【図１】本発明に係るダンボール箱の展開図である。
【図２】側壁及び外フラップの拡大図である。
【図３】端壁及び内フラップの拡大図である。
【図４】上開閉面の拡大図である。
【図５】ダンボール箱の封緘状態を示す斜視図である。
【図６】ダンボール箱の開封作業途中を示す斜視図である。
【図７】ダンボール箱の開封作業途中を示す斜視図である。
【図８】ダンボール箱の開封固定状態を示す斜視図である。
【符号の説明】
【００３６】
１…ダンボール箱、２…側壁、３…端壁、４…外フラップ、５…内フラップ、６…内フラップ、７…外フラップ、８…糊代片、９…側壁固定孔、１０…端壁固定孔、１１…スリット、１２…蓋フラップ、４ｘ…折り曲げ罫線、５ｘ…折り曲げ罫線。
【図１】
2008254738.tif 000003
【図２】
2008254738.tif 000004
【図３】
2008254738.tif 000005
【図４】
2008254738.tif 000006
【図５】
2008254738.tif 000007
【図６】
2008254738.tif 000008
【図７】
2008254738.tif 000009
【図８】
2008254738.tif 000010